(57)【要約】  セルと、前記セルに供給される電解液を貯留する電解液タンクと、前記セルと前記電解液タンクとの間に配されて前記電解液を循環させる循環機構と、を備えるレドックスフロー電池であって、前記循環機構は、前記電解液中の開口端から前記電解液タンク中の前記電解液のタンク内液面の上方に前記電解液を吸い上げる吸込み配管と、前記吸込み配管の上端に設けられる循環ポンプと、前記循環ポンプの吐出口から前記セルに繋がる押出し配管と、前記セルから前記電解液タンクに繋がる帰路配管と、を備え、前記電解液タンク内の底面から前記タンク内液面までの高さをＨ０、前記吸込み配管の前記開口端から前記タンク内液面までの長さをＨＬ、前記タンク内液面から前記循環ポンプの吸込口の中央までの高さをＨＳとしたとき、ＨＬ／Ｈ０が０．４以上で、ＨＳがＨＬ以下である。
2019106721.tif 000002
【特許請求の範囲】
【請求項１】
セルと、前記セルに供給される電解液を貯留する電解液タンクと、前記セルと前記電解液タンクとの間に配されて前記電解液を循環させる循環機構と、を備えるレドックスフロー電池であって、
前記循環機構は、
前記電解液中の開口端から前記電解液タンク中の前記電解液のタンク内液面の上方に前記電解液を吸い上げる吸込み配管と、
前記吸込み配管の上端に設けられる循環ポンプと、
前記循環ポンプの吐出口から前記セルに繋がる押出し配管と、
前記セルから前記電解液タンクに繋がる帰路配管と、を備え、
前記電解液タンク内の底面から前記タンク内液面までの高さをＨ０、前記吸込み配管の前記開口端から前記タンク内液面までの長さをＨＬ、前記タンク内液面から前記循環ポンプの吸込口の中央までの高さをＨＳとしたとき、
ＨＬ／Ｈ０が０．４以上で、ＨＳがＨＬ以下であるレドックスフロー電池。
【請求項２】
前記循環ポンプは、インペラと前記インペラを回転させる駆動部とを内蔵するポンプ本体を備える自吸式ポンプであり、
前記ポンプ本体が、前記タンク内液面よりも上方に配置される請求項１に記載のレドックスフロー電池。
【請求項３】
前記循環ポンプはさらに、前記ポンプ本体と前記吸込み配管との間に配置される呼び水タンクを備える請求項２に記載のレドックスフロー電池。
【請求項４】
前記電解液タンクの上面に配置され、前記セルを内蔵するセル室を備え、
前記ポンプ本体は、前記セル室に載置される請求項２または請求項３に記載のレドックスフロー電池。
【発明の詳細な説明】
【技術分野】
【０００１】
本発明は、レドックスフロー電池に関するものである。
【背景技術】
【０００２】
特許文献１には、電力系統との間で充放電を行なうセルと、セルに供給される電解液を貯留する電解液タンクと、セルと電解液タンクとの間に配されて電解液を循環させる循環機構と、を備えるレドックスフロー電池が開示されている。循環機構は、循環ポンプと、電解液タンクから循環ポンプに繋がる配管と、循環ポンプからセルに繋がる配管と、セルから電解液タンクに繋がる配管と、で構成されている。循環ポンプは、電解液タンクの側方に配置されている。
【先行技術文献】
【特許文献】
【０００３】
【特許文献１】特開２０１２−１６４５３０号公報
【発明の概要】
【０００４】
本開示のレドックスフロー電池は、
セルと、前記セルに供給される電解液を貯留する電解液タンクと、前記セルと前記電解液タンクとの間に配されて前記電解液を循環させる循環機構と、を備えるレドックスフロー電池であって、
前記循環機構は、
前記電解液中の開口端から前記電解液タンク中の前記電解液のタンク内液面の上方に前記電解液を吸い上げる吸込み配管と、
前記吸込み配管の上端に設けられる循環ポンプと、
前記循環ポンプの吐出口から前記セルに繋がる押出し配管と、
前記セルから前記電解液タンクに繋がる帰路配管と、を備え、
前記電解液タンク内の底面から前記タンク内液面までの高さをＨ０、前記吸込み配管の前記開口端から前記タンク内液面までの長さをＨＬ、前記タンク内液面から前記循環ポンプの吸込口の中央までの高さをＨＳとしたとき、
ＨＬ／Ｈ０が０．４以上で、ＨＳがＨＬ以下である。
【図面の簡単な説明】
【０００５】
【図１】レドックスフロー電池の動作原理を説明する図である。
【図２】レドックスフロー電池の概略構成図である。
【図３】セルスタックの概略構成図である。
【図４】実施形態のレドックスフロー電池の概略構成図である。
【図５】実施形態のレドックスフロー電池に備わる循環機構の概略構成図である。
【図６】図５の循環機構よりも吸込み配管を短くした循環機構の概略構成図である。
【発明を実施するための形態】
【０００６】
［本開示が解決しようとする課題］
従来のレドックスフロー電池では、電解液タンクの側方に循環ポンプを配置してセルに電解液を循環させていた。そのため、電解液タンクから循環ポンプに至る配管に損傷が生じると、電解液タンクの殆ど全ての電解液が外部に漏洩する恐れがある。
【０００７】
そこで、本開示は、電解液タンクから循環ポンプに至る配管に損傷が生じても電解液タンクの外部に電解液が漏洩し難いレドックスフロー電池を提供することを目的の一つとする。
【０００８】
［本願発明の実施形態の説明］
本発明者は、上記課題に鑑み、電解液タンクの上方に電解液を吸い上げる構成を検討した。ここで、電解液の吸い上げを行なう場合、循環ポンプの必要吸込みヘッド（Ｎｅｔ  Ｐｏｓｉｔｉｖｅ  Ｓｕｃｔｉｏｎ  Ｈｅａｄ  ｒｅｑｕｉｒｅｄ；ＮＰＳＨｒ）と、吸い上げ条件を考慮した有効吸込みヘッド（Ｎｅｔ  Ｐｏｓｉｔｉｖｅ  Ｓｕｃｔｉｏｎ  Ｈｅａｄ  ａｖａｉｌａｂｌｅ；ＮＰＳＨａ）を考慮する必要がある。ＮＰＳＨｒは、キャビテーションによるポンプの効率低下を避けるために最低限必要な吸込み圧力を電解液の高さ［ｍ］に換算した値であって、液性などとは無関係なポンプ固有の値である。一方、ＮＰＳＨａは、吸い上げ条件を考慮した揚程であって、電解液の吸い上げ時のキャビテーションに対する余裕を示す値であり、以下の式で求めることができる。上記キャビテーションを防ぐためにはＮＰＳＨｒ＜ＮＰＳＨａを満たすようにしなければならない。
・ＮＰＳＨａ［ｍ］＝［（ＰＡ−ＰＶ）×１０６／ｐ・ｇ］−ＨＳ−Ｈｆｓ
ＰＡ…電解液タンクのタンク内液面にかかる絶対圧力［ＭＰａ］
ＰＶ…循環ポンプの吸込口の温度における電解液の蒸気圧［ＭＰａ］
ｐ…電解液の密度［ｋｇ／ｍ３］
ｇ…重力加速度［９．８ｍ／ｓ２］
ＨＳ…電解液タンクのタンク内液面から循環ポンプの吸込口の中央までの吸込み高さ［ｍ］
Ｈｆｓ…吸込み配管における損失ヘッド［ｍ］
※Ｈｆｓは、例えば以下に示すダルシー・ワイズバッハの式にて求めることができる。
・損失ヘッドｈ［ｍ］＝α・λ・（Ｌ／ｄ）・（ｖ２／２ｇ）
α…安全率（例えば、１．３）
λ…管摩擦係数
Ｌ…配管長、または配管相当長［ｍ］
ｄ…管内径［ｍ］
ｖ…電解液の流速［ｍ／ｓ］
【０００９】
また、レドックスフロー電池では、電解液タンク内の電解液の利用率についても考慮しなければならない。レドックスフロー電池では、電解液に含まれる活物質イオンの価数の変化によって充放電を行なうため、電解液を吸い上げる吸込み配管が電解液の浅い位置に開口していては、電解液に対流を生じさせ難く、電解液タンクにおける活物質を有効に利用することができない。電解液に対流を生じさせ、電解液の利用率を上げるためには、電解液の深い位置から電解液を吸い上げることが好ましい。しかし、吸込み配管が長くなると吸込み配管損失Ｈｆｓが大きくなり、上記導出式に示すようにＮＰＳＨａが低下する。そのため、ＮＰＳＨｒ＜ＮＰＳＨａを満たすように、吸込み高さＨＳ（吸込み実揚程ともいう）を調整する必要がある。
【００１０】
本発明者は電解液を吸い上げる構成についてさらに踏み込んで検討を行ない、ＨＳとＨＬの関係を規定することで、循環機構に用いる循環ポンプを小型化でき、レドックスフロー電池の運転に必要な消費電力を低減できる可能性があるとの知見を得た。以下に、本願発明の実施形態の内容を列記して説明する。
【００１１】
＜１＞実施形態に係るレドックスフロー電池は、
セルと、前記セルに供給される電解液を貯留する電解液タンクと、前記セルと前記電解液タンクとの間に配されて前記電解液を循環させる循環機構と、を備えるレドックスフロー電池であって、
前記循環機構は、
前記電解液中の開口端から前記電解液タンク中の前記電解液のタンク内液面の上方に前記電解液を吸い上げる吸込み配管と、
前記吸込み配管の上端に設けられる循環ポンプと、
前記循環ポンプの吐出口から前記セルに繋がる押出し配管と、
前記セルから前記電解液タンクに繋がる帰路配管と、を備え、
前記電解液タンク内の底面から前記タンク内液面までの高さをＨ０、前記吸込み配管の前記開口端から前記タンク内液面までの長さをＨＬ、前記タンク内液面から前記循環ポンプの吸込口の中央までの高さをＨＳとしたとき、
ＨＬ／Ｈ０が０．４以上で、ＨＳがＨＬ以下である。
【００１２】
電解液タンクからセルに電解液を循環させる際、タンク内液面の上方に電解液を吸い上げる構成とすることで、電解液タンクから循環ポンプに至る吸込み配管に損傷が生じても、電解液タンクの外部に電解液が漏れ難くなる。吸込み配管に損傷が生じれば、吸込み配管の気密が破れ、吸込み配管の電解液は重力で電解液タンクに戻るからである。
【００１３】
電解液のタンク内液面から電解液中の吸込み配管の開口端までの距離ＨＬが小さい、即ちタンク内液面に近い位置から電解液を吸い込む場合、電解液タンクの底側の電解液が利用され難い。そのため、電解液タンクの容量を大きくしてもレドックスフロー電池の時間容量の向上効果が得難い。これに対して、ＨＬ／Ｈ０≧０．４とする、即ち電解液の深さＨ０に対する距離ＨＬが４０％以上である場合、電解液の深い位置から電解液を吸い込むことができるので、電解液タンク内の電解液の利用率を向上させることができる。
【００１４】
ＨＬが大きくなると、吸込み配管と電解液との摩擦損失が大きくなる。既に述べたように、ＮＰＳＨａは、理論限界値から吸込み高さＨＳ（吸込み実揚程）と吸込み配管損失Ｈｆｓを引いた値となるので、Ｈｆｓの増加に応じてＨＳを調整することが重要である。具体的には、ＨＳがＨＬ以下（ＨＳ≦ＨＬ）することで、電解液を吸い上げて循環させるための循環ポンプのポンプ動力を低く抑えることができる。その結果、レドックスフロー電池を運転する際の電力消費を低減でき、効率的なレドックスフロー電池の運転を行なえる可能性がある。
【００１５】
＜２＞実施形態に係るレドックスフロー電池の一形態として、
前記循環ポンプは、インペラと前記インペラを回転させる駆動部とを内蔵するポンプ本体を備える自吸式ポンプであり、
前記ポンプ本体が、前記タンク内液面よりも上方に配置される形態を挙げることができる。
【００１６】
上記構成によれば、循環ポンプのメンテナンスを容易に行なうことができる。循環ポンプのメンテナンスの際、循環ポンプを止めることで、吸込み配管内の電解液が電解液タンクに戻り、インペラなどを電解液中から取り出す手間がないからである。これに対して、循環ポンプの種類によっては、駆動部が電解液のタンク内液面よりも上にあるが、インペラは電解液中に配置される場合もある。このような循環ポンプでは、そのメンテナンス時に電解液中からインペラを取り出す手間がかかるし、その取り出しの際に電解液が飛散する恐れもある。
【００１７】
＜３＞前記ポンプ本体が前記タンク内液面よりも上方に配置される実施形態に係るレドックスフロー電池の一形態として、
前記循環ポンプはさらに、前記ポンプ本体と前記吸込み配管との間に配置される呼び水タンクを備える形態を挙げることができる。
【００１８】
呼び水タンクを備える構成では、呼び水タンク内の電解液を循環ポンプで吸引することで、呼び水タンク内の気相の圧力を低下させ、電解液タンクから呼び水タンクに電解液を吸い上げる。この構成では、電解液タンクに貯留させた電解液を最初に吸い上げる際、呼び水タンクに電解液を入れて循環ポンプを動作させるだけで良く、簡便に初期の吸い上げ操作を行なえる。呼び水タンクがない構成では、循環ポンプと吸込み配管に電解液を満たした準備状態としてからでないと電解液を吸い上げることができないため、上記準備状態とする手間がかかる。
【００１９】
＜４＞前記ポンプ本体が前記タンク内液面よりも上方に配置される実施形態に係るレドックスフロー電池の一形態として、
前記電解液タンクの上面に配置され、前記セルを内蔵するセル室を備え、
前記ポンプ本体は、前記セル室に載置される形態を挙げることができる。
【００２０】
上記構成によれば、ポンプ本体の近傍で電解液の漏洩が生じても、その漏洩した電解液をセル室内に留め易い。その結果、漏洩した電解液の処理作業を行ない易く、またその処理作業の安全性を高め易い。
【００２１】
［本願発明の実施形態の詳細］
以下、本開示に係るレドックスフロー電池の実施形態を説明する。なお、本願発明は実施形態に示される構成に限定されるわけではなく、請求の範囲によって示され、請求の範囲と均等の意味および範囲内の全ての変更が含まれることを意図する。
【００２２】
＜実施形態１＞
実施形態に係るレドックスフロー電池の説明に先立ち、レドックスフロー電池（以下、ＲＦ電池）の基本構成を図１〜図３に基づいて説明する。
【００２３】
≪ＲＦ電池の基本構成≫
ＲＦ電池は、電解液循環型の蓄電池の一つであって、太陽光発電や風力発電といった新エネルギーの蓄電などに利用されている。このＲＦ電池１の動作原理を図１に基づいて説明する。ＲＦ電池１は、正極用電解液に含まれる活物質イオン（図１ではバナジウムイオン）の酸化還元電位と、負極用電解液に含まれる活物質イオン（図１ではバナジウムイオン）の酸化還元電位との差を利用して充放電を行なう電池である。ＲＦ電池１は、電力変換器９１を介して、電力系統９の変電設備９０に繋がっており、電力系統９との間で充放電を行なう。電力系統９が交流送電を行なう電力系統であれば、電力変換器９１は交流／直流変換器である。電力系統が直流送電を行なう電力系統であれば、電力変換器９１は直流／直流変換器である。一方、ＲＦ電池１は、水素イオンを透過させる隔膜１０１で正極セル１０２と負極セル１０３とに分離されたセル１００を備える。
【００２４】
正極セル１０２には正極電極１０４が内蔵され、かつ正極用電解液を貯留する正極用の電解液タンク１０６が導管１０８，１１０を介して接続されている。導管１０８には循環ポンプ１１２が設けられており、これら部材１０６，１０８，１１０，１１２によって正極用電解液を循環させる正極用循環機構１００Ｐが構成されている。同様に、負極セル１０３には負極電極１０５が内蔵され、かつ負極用電解液を貯留する負極用の電解液タンク１０７が導管１０９，１１１を介して接続されている。導管１０９には循環ポンプ１１３が設けられており、これらの部材１０７，１０９，１１１，１１３によって負極用電解液を循環させる負極用循環機構１００Ｎが構成されている。各電解液タンク１０６，１０７に貯留される電解液は、充放電の際に循環ポンプ１１２，１１３によりセル１０２，１０３内に循環される。充放電を行なわない場合、循環ポンプ１１２，１１３は停止され、電解液は循環されない。
【００２５】
［セルスタック］
上記セル１００は通常、図２、図３に示すような、セルスタック２００と呼ばれる構造体の内部に形成される。セルスタック２００は、サブスタック２００ｓ（図３）と呼ばれる積層構造物をその両側から二枚のエンドプレート２１０，２２０で挟み込み、締付機構２３０で締め付けることで構成されている（図３に例示する構成では、複数のサブスタック２００ｓを用いている）。
【００２６】
サブスタック２００ｓ（図３）は、セルフレーム１２０、正極電極１０４、隔膜１０１、および負極電極１０５を複数積層し、その積層体を給排板１９０，１９０（図３の下図参照、図２では省略）で挟み込んだ構成を備える。
【００２７】
セルフレーム１２０は、貫通窓を有する枠体１２２と、貫通窓を塞ぐ双極板１２１と、を有している。つまり、枠体１２２は、双極板１２１をその外周側から支持している。このようなセルフレーム１２０は、例えば、双極板１２１の外周部に一体に枠体１２２を成形することで作製することができる。また、貫通窓の外周縁部を薄肉に形成した枠体１２２と、枠体１２２とは別に作製した双極板１２１とを用意し、枠体１２２の薄肉部に双極板１２１の外周部を嵌めこむことで、セルフレーム１２０を作製することもできる。このセルフレーム１２０の双極板１２１の一面側には正極電極１０４が接触するように配置され、双極板１２１の他面側には負極電極１０５が接触するように配置される。この構成では、隣接する各セルフレーム１２０に嵌め込まれた双極板１２１の間に一つのセル１００が形成されることになる。
【００２８】
図３に示す給排板１９０，１９０を介したセル１００への電解液の流通は、セルフレーム１２０に形成される給液用マニホールド１２３，１２４と、排液用マニホールド１２５，１２６により行われる。正極用電解液は、給液用マニホールド１２３からセルフレーム１２０の一面側（紙面表側）に形成される入口スリット１２３ｓ（実線で示す湾曲路を参照）を介して正極電極１０４に供給され、セルフレーム１２０の上部に形成される出口スリット１２５ｓ（実線で示す湾曲路を参照）を介して排液用マニホールド１２５に排出される。同様に、負極用電解液は、給液用マニホールド１２４からセルフレーム１２０の他面側（紙面裏側）に形成される入口スリット１２４ｓ（破線で示す湾曲路を参照）を介して負極電極１０５に供給され、セルフレーム１２０の上部に形成される出口スリット１２６ｓ（破線で示す湾曲路を参照）を介して排液用マニホールド１２６に排出される。各セルフレーム１２０間には、Ｏリングや平パッキンなどの環状シール部材１２７が配置され、サブスタック２００ｓからの電解液の漏れが抑制されている。
【００２９】
［電解液］
電解液は、正負の活物質をバナジウムイオンとするもの、正極活物質をマンガンイオン、負極活物質をチタンイオンとするもの、その他、公知の組成のものが利用できる。
【００３０】
≪実施形態に係るＲＦ電池≫
以上説明したＲＦ電池１の基本構成を踏まえて、実施形態に係るＲＦ電池１を図４，５に基づいて説明する。ここで、図４は、ＲＦ電池１の概略構成図であり、図５はそのＲＦ電池１の正極用循環機構１００Ｐ近傍の概略構成図である。図５ではセル１００と帰路配管７の図示を省略している。
【００３１】
図４に示すように、本例のＲＦ電池１では、その構成部材が三つの区画に分散して配置されている。一つ目の区画は、ＲＦ電池１のうち、セル１００を含むセルスタック２００や循環機構１００Ｐ，１００Ｎを内部に収納するセル室２であって、本例ではコンテナで構成されている。二つ目の区画は、正極用の電解液タンク１０６として機能する正極タンクコンテナである。三つ目の区画は、負極用の電解液タンク１０７として機能する負極タンクコンテナである。本例では、両タンクコンテナに跨がるようにセル室２を構成するコンテナが配置されている。
【００３２】
セル室２及び電解液タンク１０６，１０７を構成するコンテナとして、規格品のコンテナ、例えば海上輸送用コンテナを利用することが挙げられる。コンテナのサイズは、ＲＦ電池１の電池容量や電池出力などに応じて適宜選択できる。例えば大（小）容量のＲＦ電池１とする場合、大きな（小さな）コンテナで電解液タンク１０６，１０７を構成することが挙げられる。コンテナとしては、ＩＳＯ規格（例えば、ＩＳＯ  １４９６−１：２０１３など）に準拠した国際海上貨物用コンテナが利用できる。代表的には、２０フィートコンテナや４０フィートコンテナ、それらよりも高さの高い２０フィートハイキューブコンテナや４０フィートハイキューブコンテナなどが利用できる。
【００３３】
図４に示す構成では、循環機構１００Ｐ（１００Ｎ）が、吸込み配管５、循環ポンプ１１２（１１３）、押出し配管６、及び帰路配管７を備える。吸込み配管５は、その開口端が電解液８中に配置されており、電解液タンク１０６（１０７）の上方に電解液８を吸い上げる配管である。押出し配管６は、循環ポンプ１１２（１１３）の吐出口からセル１００に繋がる配管であって、図１の導管１０８（１０９）に相当すると考えて良い。また、帰路配管７は、セル１００から電解液タンク１０６（１０７）に繋がる配管であって、図１の導管１１０（１１１）に相当すると考えて良い。帰路配管７は、タンク内液面の平面方向に吸込み配管５から離隔した位置、例えばタンク内液面の中心に対して点対称の位置に配置することが好ましい。両配管５，７を離隔させることで、電解液の対流を促進できるからである。
【００３４】
一方、循環ポンプ１１２は、図５に示すように、インペラ３０とインペラ３０を回転させる駆動部３１とを内蔵するポンプ本体３を備える自吸式ポンプである。ポンプ本体３はセル室２内に配置され、電解液８中に浸かっていない。なお、図４の循環ポンプ１１３の構成も図５に示す循環ポンプ１１２と同じである。
【００３５】
循環ポンプ１１２はさらに、ポンプ本体３と吸込み配管５との間に配置される呼び水タンク４を備える。呼び水タンク４を備える構成では、呼び水タンク４内の電解液８を循環ポンプ１１２で吸引することで、呼び水タンク４内の気相の圧力を低下させ、電解液タンク１０６から呼び水タンク４に電解液８を吸い上げることができる。この構成では、電解液タンク１０６に貯留させた電解液８を最初に吸い上げる際、呼び水タンク４に電解液８を入れて循環ポンプ１１２を動作させるだけで良く、簡便に初期の吸い上げ操作を行なえる。呼び水タンク４を備える構成では、ポンプ本体３と呼び水タンク４とを繋ぐ配管にバルブ（図示せず）を設けることが好ましい。ポンプ本体３のメンテナンス時はバルブを閉じてからポンプ本体３を循環機構１００Ｐから外すと良い。
【００３６】
上記図４のＲＦ電池１は、電解液タンク１０６（１０７）の上方に電解液８を吸い上げる構成となっている。この構成によれば、電解液タンク１０６（１０７）から循環ポンプ１１２（１１３）に至る吸込み配管５に損傷が生じても、電解液タンク１０６（１０７）の外部に電解液８が漏れ難くなる。吸込み配管５に損傷が生じれば、吸込み配管５の気密が破れ、吸込み配管５の電解液８は重力で電解液タンク１０６（１０７）に戻るからである。ここで、本例の循環ポンプ１１２（１１３）のポンプ本体３は電解液８中に浸かっていないため、循環ポンプ１１２（１１３）のメンテナンスを容易に行なうことができる。循環ポンプ１１２（１１３）を止めるだけで、吸込み配管５内の電解液８が電解液タンク１０６（１０７）に戻り、インペラ３０（図５）などを電解液８中から取り出す手間がないからである。
【００３７】
また、ＲＦ電池１では、ポンプ本体３が、電解液タンク１０６の上面に配置されるセル室２内に載置されている。そのため、ポンプ本体３の近傍で電解液８の漏洩が生じても、その漏洩した電解液８をセル室２内に留め易い。その結果、漏洩した電解液８の処理作業を行ない易く、またその処理作業の安全性を高め易い。
【００３８】
実施形態に係るＲＦ電池１では更に、ＨＬ／Ｈ０を０．４以上とし、ＨＳをＨＬ以下とする。
・Ｈ０…電解液タンク１０６内の底面から電解液８のタンク内液面までの高さ。
・ＨＬ…吸込み配管５の開口端５０からタンク内液面までの長さ。
・ＨＳ…タンク内液面から循環ポンプ１１２の吸込口３２の中央までの吸込み高さ（吸込み実揚程ともいう）。
【００３９】
ＨＬ／Ｈ０≧０．４とする、即ち電解液８の深さＨ０に対する距離ＨＬが４０％以上である場合、電解液８の深い位置から電解液８を吸い込むことができるので、電解液タンク１０６内の電解液８の利用率を向上させることができる。図６に示すように、ＨＬ／Ｈ０＜０．４とすると液利用率が芳しくない。電解液８の利用率をより向上させるには、ＨＬ／Ｈ０≧０．６とすることが好ましく、ＨＬ／Ｈ０≧０．８、あるいはＨＬ／Ｈ０≧０．９とすることができる。
【００４０】
ここで、ＨＬが大きくなると、吸込み配管５と電解液８との摩擦損失が大きくなる。『本願発明の実施形態の説明』の冒頭で述べたように、ＮＰＳＨａは、理論限界値から吸込み高さＨＳと吸込み配管損失Ｈｆｓを引いた値となるので、Ｈｆｓの増加に応じてＨＳを調整することが重要である。具体的には、ＨＳ≦ＨＬとすることで、電解液８を吸い上げて循環させるための循環ポンプ１１２のポンプ動力（駆動部３１の動力）を低く抑えることができる。その結果、ＲＦ電池１を運転する際の電力消費を低減でき、効率的なＲＦ電池１の運転を行なえる可能性がある。
【００４１】
＜計算例＞
本計算例では、ＮＰＳＨｒ＝２ｍの循環ポンプ１１２を用いて、ＨＬ、ＨＳを変化させたときのＮＰＳＨａを求め、循環ポンプ１１２の動力削減の可能性を探る。
【００４２】
≪例１≫
計算の前提条件は以下の通り。
・吸込み高さ（吸込み実揚程）ＨＳ＝０．５ｍ
・電解液深さＨ０＝２．８ｍ
・吸込み配管５の液中長さＨＬ＝２．７ｍ
・各部の損失ヘッドを含む全揚程…２９．５ｍ
・電解液の流量Ｑ＝９６０リットル／分
・吸込み配管５の内径ｄ＝０．１ｍ
【００４３】
例１では、液利用率ＨＬ／Ｈ０≒０．９６であり、電解液中の活物質イオンの利用効率が十分に確保される。また、例１では、ＨＳ≦ＨＬを満たしており、ＮＰＳＨａ≒８．７１ｍであった。この例では、ＮＰＳＨｒ＜ＮＰＳＨａを満たしており、問題なく電解液の循環を行なえる。
【００４４】
≪例２≫
例２では、ＨＳ＞ＨＬの構成の計算例を示す。具体的には、ＨＳ＝３．０ｍ（ＨＬ超）とし、ＨＳと全揚程（３０．０ｍ）以外の前提条件は例１と同じとして、計算を行なった。この場合、例２の液利用率は例１の液利用率と同じとなるが、ＮＰＳＨａ≒６．２１ｍとなる。ＮＰＳＨｒ＜ＮＰＳＨａを満たしており、問題なく電解液の循環を行なえる。しかし、ＨＳが大きいほど大きなポンプ動力を必要とするため、この例２よりも例１の方がポンプ動力の削減を行なうことができる。
【００４５】
≪まとめ≫
電解液の活物質の利用効率が高い例１，２の動力削減率を求める。ポンプ動力は、損失ヘッドを低減すること（即ち全揚程を小さくすること）で低減され、例１と例２の動力削減率は、［（例２の全揚程）−（例１の全揚程）］／(例２の全揚程)×１００で求めることができる。その結果、例２に比べて例１の動力削減率は１．７％であり、例１の構成によってＲＦ電池１の運転に必要な電力量を低減でき、ＲＦ電池１を効率的に運転できることがわかった。
【００４６】
＜用途＞
実施形態のＲＦ電池は、太陽光発電、風力発電などの新エネルギーの発電に対して、発電出力の変動の安定化、発電電力の余剰時の蓄電、負荷平準化などを目的とした蓄電池として利用できる。また、本実施形態のＲＦ電池は、一般的な発電所に併設されて、瞬低・停電対策や負荷平準化を目的とした大容量の蓄電池システムとしても利用することができる。
【符号の説明】
【００４７】
１  レドックスフロー電池（ＲＦ電池）
２  セル室
３  ポンプ本体
３０  インペラ  ３１  駆動部  ３２  吸込口
４  呼び水タンク
５  吸込み配管  ５０  開口端
６  押出し配管
７  帰路配管
８  電解液
９  電力系統  ９０  変電設備  ９１  電力変換器
１００  セル  １０１  隔膜  １０２  正極セル  １０３  負極セル
１００Ｐ  正極用循環機構  １００Ｎ  負極用循環機構
１０４  正極電極  １０５  負極電極  １０６  正極用の電解液タンク
１０７  負極用の電解液タンク  １０８，１０９，１１０，１１１  導管
１１２，１１３  循環ポンプ
１２０  セルフレーム
１２１  双極板  １２２  枠体
１２３，１２４  給液用マニホールド  １２５，１２６  排液用マニホールド
１２３ｓ，１２４ｓ  入口スリット  １２５ｓ，１２６ｓ  出口スリット
１２７  環状シール部材
２００  セルスタック
１９０  給排板  ２００ｓ  サブスタック
２１０，２２０  エンドプレート
２３０  締付機構
【図１】
2019106721.tif 000003
【図２】
2019106721.tif 000004
【図３】
2019106721.tif 000005
【図４】
2019106721.tif 000006
【図５】
2019106721.tif 000007
【図６】
2019106721.tif 000008
【国際調査報告】
2019106721.tif 000009
2019106721.tif 000010
2019106721.tif 000011
2019106721.tif 000012